(57)【要約】【課題】連結されたロール状の飲料抽出用フィルターを、収納容器から一枚づつ連続して取り出すことが可能な飲料抽出用フィルター連結ロールの提供。【解決手段】連結フィルターと、収納容器とから構成される飲料抽出用フィルター連結ロールであって、前記の収納容器は連結フィルター収納部とフィルター取り出し口とを備え、連結フィルターは、飲料抽出用フィルターを交互に連結させると共に、フィルターを１枚ごとに切り離せるようにされており、その先端部がフィルター取り出し口から取り出せるように、ロール状に巻かれた状態で連結フィルター収納部に収容される。目盛りやフィルターを見やすく、しかも健康に影響のないものを使用する。【選択図】　図４
0003098839.tif 000002
【実用新案登録請求の範囲】
【請求項１】
連結フィルターと、収納容器とから構成される飲料抽出用フィルター連結ロールであって、
前記の収納容器は連結フィルター収納部とフィルター取り出し口とを備え、
連結フィルターは、飲料抽出用フィルターを交互に連結させると共に、フィルターを１枚ごとに切り離せるようにされており、その先端部がフィルター取り出し口から取り出せるように、ロール状に巻かれた状態で連結フィルター収納部に収容されたことを特徴とする、飲料抽出用フィルター連結ロール。
【請求項２】
請求項１に記載の考案において、
前記のフィルターはコーヒー抽出用フィルターであることを特徴とする、飲料抽出用フィルター連結ロール。
【請求項３】
請求項１または２のいずれかに記載の考案において、
前記のフィルターはさらに、フィルター切り離し部を備えたことを特徴とする、飲料抽出用フィルター連結ロール。
【請求項４】
請求項１〜３のいずれかに記載の考案において、
前記の収納容器はさらに、ロール支持部を備えたことを特徴とする、飲料抽出用フィルター連結ロール。
【請求項５】
請求項１〜４のいずれかに記載の考案において、
前記のフィルターには、飲料抽出用粉の量を示すために、抽出される飲料の種類を示す図形を含む目盛りが設けられたことを特徴とする、飲料抽出用フィルター連結ロール。
【請求項６】
請求項１〜５のいずれかに記載の考案において、
前記のフィルターには、飲料抽出用原料の量を示すために、抽出される飲料の量を示す図形を含む目盛りが設けられたことを特徴とする、飲料抽出用フィルター連結ロール。
【請求項７】
請求項５または６のいずれかに記載の考案において、
前記の目盛りは、飲料抽出用原料を原材料として含むインクにより付着されたものであることを特徴とする、飲料抽出用フィルター連結ロール。
【請求項８】
請求項１〜７のいずれかに記載の考案において、
前記のフィルターは、使用済の飲料抽出用原料を原材料として含む素材により形成されたものであることを特徴とする、飲料抽出用フィルター連結ロール。
【考案の詳細な説明】
【０００１】
【考案の属する技術分野】
本考案は、連結されたロール状の飲料抽出用フィルターを、収納容器から一枚づつ連続して取り出せすことが可能な飲料抽出用フィルター連結ロールに関する。
【０００２】
【従来の技術】
従来、コーヒー抽出用フィルターなどの飲料抽出用フィルターは、１枚ずつ保存しておき、使用する際には容器などから取り出していた。
そのため、使用するたびに袋などから取り出す必要があり、中身が散乱したり汚れたりすることがあった。
また、製造されたフィルターも、１枚ごとに切り離されたものを揃えて収納する必要があった。
【０００３】
【考案が解決しようとする課題】
特開２００１−２９９５９１「ポップアップ式コーヒーペーパーフィルター」においては、コーヒーペーパーフィルターを封入した箱などの中から、その一部をつまんで上に引き上げるだけで、次のフィルターの上辺角部だけを取り出し窓口に待機させ、同様に次々と簡便かつ衛生的に取り出せるようにしたフィルターが提案されている。
取り出し口のついた窓を上面につけた箱などの中に、連続したコーヒーペーパーフィルターの境界にミシン目あるいは適度な力で引っ張ることで切り取ることができるものである。
しかしながら、取り出し口より上に引き上げたときに、次のフィルターの丸みを帯びた外周部分が引っかかることでミシン目あるいは繋ぎ目等が分離するが、フィルターの形状は丸みを帯びたものを連続させるために、製造工程において資材などの無駄が出る。また、取り出し口を上に設けるので、水をこぼしたり埃を被ったりするおそれがある。
【０００４】
ところで、飲料抽出用フィルターは、コーヒー粉などの飲料抽出用原料の量を知るために、目盛りなどを付けることが望まれる。
実開昭６４−１６２９「目盛りのついてコーヒーろ過紙」においては、線による目盛りがつけられている。
しかしながら、目盛りを無職のエンボス加工などにより付けた場合には見にくい。またインクなどで付けた場合には、インクの素材によっては化学物質その他の汚染の危険性がある。
そこで健康に影響がなく、見た目にもよい目盛りが望まれる。また飲料の雰囲気を壊さない風合いを、目盛りや、あるいはフィルターの素材自体にかもし出すことができれば望ましい。食品リサイクルの必要性の要求にも対応して、自然素材のものを活用することもできれば望ましい。
【０００５】
そこで本考案においては、上記の様々な課題を解決し、連結されたロール状の飲料抽出用フィルターを、収納容器から一枚ずつ連続して取り出すことが可能な飲料抽出用フィルター連結ロールを提供し、しかも製造工程において資材などの無駄がなく、さらに取り出し口を上に設けなくてもよい構造上の自由度をもたせることにより、水をこぼしたり埃を被ったりするおそれをなくすことも可能にすることを目的とする。
さらに本考案においては、コーヒー粉などの飲料抽出用原料の量を知るために、目盛りなどを付けるとともに、視覚的にも優れた物を提供し、健康に影響がなく、見た目にもよい目盛りの付いた飲料抽出用フィルター連結ロールを提供することを目的とする。
さらに本考案においては、また飲料の雰囲気を壊さない風合いを、目盛りや、あるいはフィルターの素材自体にかもし出すことができ、食品リサイクルの必要性の要求にも対応して、自然素材のものを活用することが可能な飲料抽出用フィルター連結ロールを提供することを目的とする。
【０００６】
【課題を解決するための手段】
上記課題を解決するため、請求項１に記載の考案においては、
連結フィルターと、収納容器とから構成される飲料抽出用フィルター連結ロールであって、
前記の収納容器は連結フィルター収納部とフィルター取り出し口とを備え、
連結フィルターは、飲料抽出用フィルターを交互に連結させると共に、フィルターを１枚ごとに切り離せるようにされており、その先端部がフィルター取り出し口から取り出せるように、ロール状に巻かれた状態で連結フィルター収納部に収容された、飲料抽出用フィルター連結ロールであることを特徴としている。
【０００７】
また、上記課題を解決するため、請求項２に記載の考案においては、
請求項１に記載の考案において、
前記のフィルターはコーヒー抽出用フィルターである、飲料抽出用フィルター連結ロールであることを特徴としている。
【０００８】
また、上記課題を解決するため、請求項３に記載の考案においては、
請求項１または２のいずれかに記載の考案において、
前記のフィルターはさらに、フィルター切り離し部を備えた、飲料抽出用フィルター連結ロールであることを特徴としている。
【０００９】
また、上記課題を解決するため、請求項４に記載の考案においては、
請求項１〜３のいずれかに記載の考案において、
前記の収納容器はさらに、ロール支持部を備えた、飲料抽出用フィルター連結ロールであることを特徴としている。
【００１０】
また、上記課題を解決するため、請求項５に記載の考案においては、
請求項１〜４のいずれかに記載の考案において、
前記のフィルターには、飲料抽出用粉の量を示すために、抽出される飲料の種類を示す図形を含む目盛りが設けられた、飲料抽出用フィルター連結ロールであることを特徴としている。
【００１１】
また、上記課題を解決するため、請求項６に記載の考案においては、
請求項１〜５のいずれかに記載の考案において、
前記のフィルターには、飲料抽出用原料の量を示すために、抽出される飲料の量を示す図形を含む目盛りが設けられた、飲料抽出用フィルター連結ロールであることを特徴としている。
【００１２】
また、上記課題を解決するため、請求項７に記載の考案においては、
請求項５または６のいずれかに記載の考案において、
前記の目盛りは、飲料抽出用原料を原材料として含むインクにより付着されたものである、飲料抽出用フィルター連結ロールであることを特徴としている。
【００１３】
また、上記課題を解決するため、請求項８に記載の考案においては、
請求項１〜７のいずれかに記載の考案において、
前記のフィルターは、使用済の飲料抽出用原料を原材料として含む素材により形成されたものである、飲料抽出用フィルター連結ロールであることを特徴としている。
【００１４】
【考案の実施の形態】
以下、本考案の実施の形態について図面を参照して説明する。
１枚ごとに切り離されて使用される飲料抽出用フィルターを、図１及び図２に示す。
図１および各図において、符号１は収納容器、２ｎは連結フィルターを示している。符号１０は連結フィルター収納部、１１はフィルター取り出し口、１２はロール支持部を示している。また２は１枚ごとの飲料抽出用フィルター、２０はフィルター同士を切り離すフィルター切り離し部、２１は目盛り、２２は開口部を示している。
【００１５】
本考案は、複数の飲料抽出用フィルターが連結されているロールを収納する飲料抽出用フィルター連結ロールであって、連結フィルターと、収納容器とから構成される。フィルターは使用する際に、１枚ずつ取り出してロールから切り離し、使用する。
【００１６】
初めに、連結フィルター２について説明する。
図３は、複数の飲料抽出用フィルターが連結されて形成された連結フィルター２ｎの一例を示す図である。
連結フィルター２ｎは、飲料抽出用フィルター２を交互に連結させると共に、フィルターを１枚ごとに切り離せるように、切れ目などのフィルター切り離し部２０が形成されて形成されている。
図４は、本考案の基本的な構成の一例を示す図である。
【００１７】
飲料抽出用フィルター２０は、各種の飲料を抽出するための、薄手の素材からなる濾過フィルターであって、素材は不織布などの紙や繊維質のものである。飲料抽出用フィルターは代表的な実施形態としてはコーヒー抽出用フィルターである。また、この他にも濾過フィルターの形状や大きさ、濾過により水分を浸透させる早さなどを工夫することにより、紅茶・日本茶・中国茶・ハーブティその他の茶飲料や、その他の飲料抽出用フィルターに利用することもできる。
本考案の説明においては、主として想定されるコーヒー抽出用フィルターを想定して説明する。
【００１８】
飲料抽出用の濾過フィルターは、コーヒー粉などの飲料抽出用原料を適量入れるための袋状の構成からなり、袋の形状はマチ付きの形状や、マチなしの形状など、様々な形状にすることができる。コーヒー粉を入れる作業や濾過、飲料抽出に好ましい形状としては、袋状の飲料抽出用フィルター２に対し湯などを注ぐ開口部２２が広く、飲料が抽出され浸み出す下方が狭く、漏斗状、あるいはマチのない平面上の濾過フィルターの場合には三角形状あるいは台形状のものが好ましいが、こうした形状には限定されず、様々な形状に形成することができる。
【００１９】
再度図２を参照すると、製造コストを低く抑えると共に収納容器にロールを収納し取り出しやすくするためには、マチがなく使用前においては平面状のフィルターを台形状に形成するなどして、飲料抽出用フィルター２を交互に連結させると共に、フィルターを１枚ごとに切り離せるように、切れ目２１が形成されて連結フィルター２が形成されている。
フィルター切り離し部２０は、ミシン目などを設けることにより、連結された飲料抽出用フィルター２同士を切り離しやすくしたものである。
図４、図５において示されるように、収納容器１から取り出した飲料抽出用フィルター２を、フィルター切り離し部２０において切り離して使用する。
【００２０】
本考案の好ましい形態の一例によれば、飲料抽出用フィルター２には、コーヒー粉などの飲料抽出用粉の量を示すために、抽出される飲料の種類を示す図形を含む目盛り２１が設けられている。すなわち図形により目盛り２１が示されている。図形と組み合わせて、線の目盛りや数字などを組み合わせた目盛りとしてもよい。
目盛り２１である図形は、飲料の種類を示す図形が好ましく、たとえばコーヒー豆の図形や、コーヒーカップの図形などである。
図６から図９は、目盛り２１の様々な実施例を示している。
図６においては、図形により目盛り２１が示され、図形の数により飲料抽出用粉の量を示している。
図７においては、さらに直線による目盛り２１が組み合わされている。
図８においては、図６に示した図形の数に代わり、数字等により飲料抽出用粉の量を示している。
図９においては、図形により目盛り２１が示され、さらにコーヒー豆の図形によって抽出される飲料の種類を示している。
【００２１】
また、飲料抽出用フィルター２に設けられる目盛り２１は、好ましくは、飲料抽出用原料の量を示すために、抽出される飲料の量を示す図形を含むものである。
たとえば前述のように図形としてコーヒーカップを用いた場合に、コーヒーカップの図形の数により、１杯分、２杯分、３杯分といった抽出される飲料の量を示し、それに適した飲料抽出原料をいれることができるようにしたものである。図形としてはコーヒー豆の数により抽出される飲料の量を示してもよい。
また、コーヒー抽出用フィルター以外の用途においては、たとえばティーバッグの図形や茶碗の図形、その他の図形を用いて目盛り２１を設けることもできる。
【００２２】
次に、本考案の飲料抽出用フィルター連結ロールの実施例について説明する。好ましい一例として、目盛り２１は、飲料抽出用原料を原材料として含むインクにより付着されたものである。
飲料抽出後のコーヒー粉などの飲料抽出原料には、可溶性の色素が残っており、化学物質などの害もない。また無色のエンボス加工などに比べて目盛り２２が見やすい。
そこで飲料抽出原料の色素を再抽出し、染料として使用することにより前述した目盛り２１を付着させたものである。
【００２３】
目盛り２１用の飲料抽出原料としてコーヒー粉を利用する場合には、微粉末にして、顔料として使用することができる。生のコーヒー豆に含まれている粗繊維は、豆を煎ることにより褐色になり、この色素は、糖分が変化してできあがったカラメルの色素と共にコーヒー液の色調となる。
また、紅茶、緑茶などの色素を利用して目盛り２１の顔料にすることもできる。
【００２４】
次に、本考案の飲料抽出用フィルター連結ロールの別の実施例について説明する。
飲料抽出用フィルター２として、使用済の飲料抽出用原料を原材料として含む素材により形成することができる。この場合にも、自然素材を用いているために安全性が高いばかりでなく、前述した目盛り２１に使用できる飲料抽出原料とともに、コーヒー用のフィルターであれば原料としてコーヒーを使用することにより、完成品である商品の付加価値も高くなる。さらに使用済原料を再利用することもできるので、食品リサイクルに役立つ。
飲料抽出用フィルターは、紙や不織布などで形成されるものであって、コーヒーかす、茶殻、紅茶殻や、その他の自然素材を細かく砕いたものを再生紙の原料として漉き込む。また全体の色調も、コーヒー抽出かすを配合することによりコーヒーをイメージする温かみのある薄茶色を出すことができる。
コーヒー粉の他にも、緑茶葉、紅茶葉、果実繊維、ハーブ繊維、その他の自然素材を利用することができる。
フィルターに漉き込む繊維質として、セルロースを利用する方法を採用することができる。セルロースは、β−グルコースがグリコシド結合で重合した天然高分子であり、植物の細胞壁中にセルロース、ヘミセルロース、リグニンの複合体リグノセルロースとして存在する。このため、セルロース利用はヘミセルロース、リグニンを機械的または化学的方法で取り除いてパルプ化する。
また、パルプ化されたセルロースからつくられる生分解性プラスチックとして酢酸セルロースがある。酢酸セルロースは、セルロ−スをアセチル化してセルロース分子鎖間の水素結合を取り除いたものである。自然環境中アセチル化部分が加水分解され、もとのセルロースに戻るため、酢酸セルロースは生分解性を有している。
【００２５】
連結フィルター２ｎは、簡単な構造をしており、たとえば２枚の紙や不織布などの素材を重ね、開口部２２以外の部分において２枚を熱圧着その他の方法により固着し、開口部２２のみを開口させ、さらにミシン目などを設け、ロール状に切り離し、巻き取ってロールを形成すればよい。
その製造工程の手順は様々に工夫できるが、図１０においては、開口部２２とそれ以外の固着された部分を形成し、切り離しを行う製造途中の状態の一例を示した。
【００２６】
次に本考案の飲料抽出用フィルター連結ロールを構成する収納容器１について説明する。
収納容器１は連結フィルター収納部１０とフィルター取り出し口１１とを備えている。
その先端部がフィルター取り出し口から取り出せるように、ロール状に巻かれた状態で連結フィルター収納部に収容されている。
図４及び図５に一例を示したが、収納容器のサイズ、形状、素材などは様々なものを採用することができ、特に限定されない。
また、フィルター取り出し口１１の形状や構造などは様々なものを採用することができ、特に限定されない。
【００２７】
図１１は、収納容器１を横から、すなわちフィルター連結ロールの軸の中心側から見た図であって、収納容器内部のフィルター連結ロールを点線で示している。
フィルター連結ロールは、特にこれを中心の軸部分で支える支持部を設けなくともよい。
また好ましい一例では、収納容器はさらに、フィルター連結ロールの軸の中心を支持するロール支持部１２を備えている。ロール支持部１２は、フィルター連結ロールの軸の中心の位置を一定に支持することにより、フィルター取り出し口１１から引っ張られた際に飲料抽出用フィルター２をスムーズに取り出しやすくするためのものである。
ロール支持部１２を安価に簡単な構造で形成する一例は、図６に示したように、箱などの収納容器の一部を切れ目を切って内側に折り曲げることにより、フィルター連結ロールの円筒状の軸内に差し込むような形態である。図６のロール支持部１２は、実践が切れ目であり、点線は収納容器内側への折り曲げ部である。図１２は、図１１に示した収納容器１を上から見た図であって、便宜上、収納容器の内部のフィルター連結ロールおよびロール支持部１２を実線で示している。
【００２８】
フィルター取り出し口１１を設けた箱の中に、連結フィルターの境界にミシン目や、適度な力で引っ張ることで切り離しが可能なフィルター切り離し部２０を設け、連結フィルターがロール上に巻かれて収納容器１に収納され、その端の一部がフィルター取り出し口１１から引っ張って出せるようにされている。
【００２９】
【考案の効果】
以上詳細に説明したように、本考案によれば、連結されたロール状の飲料抽出用フィルターを、収納容器から一枚づつ連続して取り出すことが可能な飲料抽出用フィルター連結ロールを提供し、しかも製造工程において資材などの無駄がなく、さらに取り出し口を上に設けなくてもよい構造上の自由度をもたせることにより、水をこぼしたり埃を被ったりするおそれをなくすことも可能にすることができる。
さらに本考案においては、コーヒー粉などの飲料抽出用原料の量を知るために、目盛りなどを付けるとともに、視覚的にも優れた物を提供し、健康に影響がなく、見た目にもよい目盛りの付いた飲料抽出用フィルター連結ロールを提供することができる。
さらに本考案においては、また飲料の雰囲気を壊さない風合いを、目盛りや、あるいはフィルターの素材自体にかもし出すことができ、食品リサイクルの必要性の要求にも対応して、自然素材のものを活用することが可能な飲料抽出用フィルター連結ロールを提供することができる。
【図面の簡単な説明】
【図１】１枚ごとに切り離されて使用される飲料抽出用フィルターを示す図である。
【図２】１枚ごとに切り離されて使用される飲料抽出用フィルターを示す図である。
【図３】複数の飲料抽出用フィルターが連結されて形成された連結フィルター２ｎの一例を示す図である。
【図４】本考案の基本的な構成の一例を示す図である。
【図５】収納容器１から取り出した飲料抽出用フィルター２を、フィルター切り離し部２０において切り離して使用する状態の一例を示す図である。
【図６】目盛り２１の様々な実施例を示す図である。
【図７】目盛り２１の様々な実施例を示す図である。
【図８】目盛り２１の様々な実施例を示す図である。
【図９】目盛り２１の様々な実施例を示す図である。
【図１０】フィルター連結ロール２ｎの製造途中の状態の一例を示す図である。
【図１１】収納容器１を横から、すなわちフィルター連結ロールの軸の中心側から見た図である。
【図１２】図１１に示した収納容器１を上から見た図である。
【図１】
0003098839.tif 000003
【図２】
0003098839.tif 000004
【図３】
0003098839.tif 000005
【図４】
0003098839.tif 000006
【図５】
0003098839.tif 000007
【図６】
0003098839.tif 000008
【図７】
0003098839.tif 000009
【図８】
0003098839.tif 000010
【図９】
0003098839.tif 000011
【図１０】
0003098839.tif 000012
【図１１】
0003098839.tif 000013
【図１２】
0003098839.tif 000014